Podtech/llm-jp-corpus-v4-ja_patent huggingface dataset:
(57)【要約】【課題】木材の立体の面にゴム状の皮膜を設けて形成してなる玩具用積み木であるため、積み重ねても摩擦が少なく安定し、本来は困難な球体の積み木どうし、または球体の積み木と球体以外の立体の積み木とを積み重ねても崩れにくく安定することが可能で、積み重ねが簡単にでき、従来の積み木のように凹凸を設けて互いに嵌合して連結することがないので、組み合わせた形態が美しい玩具用積み木となる。【解決手段】木材の立体の面にゴム状の皮膜を設けて形成してなる玩具用積み木。【選択図】図２
2005245996.tif 000002
【特許請求の範囲】
【請求項１】
材質が木材で、その木材の立体の面に無色のゴム状の皮膜を設けて形成してなることを特徴とする玩具用積み木。
【請求項２】
材質が木材で、その木材の立体の面に彩色されたゴム状の皮膜を設けて形成してなることを特徴とする請求項１記載の玩具用積み木。
【請求項３】
材質が木材で、その木材が着色剤によって着色されていて、その木材の面に無色のゴム状の皮膜を設けて形成してなることを特徴とする請求項１または請求項２記載の玩具用積み木。
【請求項４】
材質が木材で、その木材が着色剤よって着色されていて、その木材の面に彩色されたゴム状の皮膜を設けて形成してなることを特徴とする請求項１から請求項３のいずれか１項記載の玩具用積み木。
【発明の詳細な説明】
【技術分野】
【０００１】  この発明は、玩具用の積み木に関する。
【背景技術】
【０００２】  従来の玩具用積み木は、無垢の木製またはプラスチック製の立体の積み木で、球体の積み木どうし、または球体の積み木と球体以外の立体の積み木とを積み重ねても安定することなくすぐに崩れたりする。または各立体の面に凸部と凹部とを設けて互いに嵌合して連結できるものがあが、取り外しをしなければ嵌合したままであり、また美観をそこね、各単位の積み木の製造コストもかかる。
【発明の開示】
【発明が解決しようとする課題】
【０００３】  しかしながら、以上の技術によれば、無垢の木製またはプラスチック製の立体の積み木は、摩擦を無くす対処は施されていなかったため、球体の積み木どうし、または球体の積み木と球体以外の立体の積み木とを積み重ねてもすぐに崩れたりし安定しない。また、各立体の面に凸部と凹部とを設けて互いに嵌合して連結できる玩具用積み木も、取り外しをしなければ嵌合したままであり、また、美観をそこね、各単位の積み木の製造コストもかかる、そこでこの発明は、木材の立体の面にゴム状の皮膜を設けて形成してなる、積み重ねても摩擦が少なく安定した玩具用積み木を提供することを課題とする。
【課題を解決するための手段】
【０００４】  以上の課題を解決するために、本発明に係る玩具用積み木の第一発明は、材質が木材で、その木材の立体の面に無色のゴム状の皮膜を設けて形成してなることを特徴とする玩具用積み木である。【０００５】  また、本発明に係る玩具用積み木の第二発明は、材質が木材で、その木材の立体の面に彩色されたゴム状の皮膜を設けて形成してなることを特徴とする玩具用積み木である。【０００６】  また、本発明に係る玩具用積み木の第三発明は、材質が木材で、その木材が着色剤によって着色されていて、その木材の面に無色のゴム状の皮膜を設けて形成してなることを特徴とする玩具用積み木である。【０００７】  また、本発明に係る玩具用積み木の第四発明は、材質が木材で、その木材が着色剤よって着色されていて、その木材の面に彩色されたゴム状の皮膜を設けて形成してなることを特徴とする玩具用積み木である。
【発明の効果】
【０００８】  本発明によれば、材質が木材、または着色剤によって着色されている材質が木材の立体の面に、無色、または彩色されたゴム状の皮膜を設けて形成してなる玩具用積み木であるため、積み重ねても摩擦が少なく安定し、本来は困難な球体の積み木どうし、または球体の積み木と球体以外の立体の積み木とを積み重ねても崩れにくく安定することが可能で、積み重ねが簡単にでき、従来の積み木のように凹凸を設けて互いに嵌合して連結することがないので、組み合わせた形態が美しい玩具用積み木となる。
【発明を実施するための最良の形態】
【０００９】  この発明の実施形態を図面により説明する。図１に示すものは本発明の玩具用積み木の、球体の積み木１、円盤の積み木２、四角盤の積み木３を示す。【００１０】  各単位積み木の形態は、図１に示すものに限定するものではなく、各種の立体のものを採用することができる。たとえば、三角柱状、四角柱状等多角形柱状、卵型、半球、五角形盤等多角形盤等である。【００１１】  図２は、本発明の玩具用積み木の球体の積み木１の断面図である。木材４の面に、ゴム状の皮膜５を設けて形成してなる本発明の玩具用積み木の球体の積み木１を示す。尚、図中斜線を引いた面が木材４とゴム状の皮膜５である。尚、図２に示すものに限定するものではなく、各種の立体のものを採用することができる。たとえば、三角柱状、四角柱状等多角形柱状、卵型、半球、五角形盤等多角形盤等である。【００１２】  図３は、本発明の玩具用積み木を積み重ねた状態例を示すものである。図３の積み重ねは、四角盤の積み木３の上部に球体の積み木１をのせ、その球体の積み木１の上部に円盤の積み木２をのせた斜視図である。また図面に示す面に設けることに限定するものではない。【００１３】  上記の実施の形態の積み木は、材質が木材、または着色剤によって着色されている材質が木材の立体の面に、無色、または彩色されたゴム状の皮膜を設けて形成してなる組物としてもよい。
【実施形態の効果】
【００１４】  本発明による実施形態によれば、材質が木材、または着色剤によって着色されている材質が木材の立体の面に、無色、または彩色されたゴム状の皮膜を設けて形成してなる玩具用積み木であるため、積み重ねても摩擦が少なく安定し、本来は困難な球体の積み木どうし、または球体の積み木と球体以外の立体の積み木とを積み重ねても崩れにくく安定することが可能で、積み重ねが簡単にでき、従来の積み木のように凹凸を設けて互いに嵌合して連結することがないので、組み合わせた形態が美しい玩具用積み木となる。
【図面の簡単な説明】
【００１５】
【図１】本発明の各単位積み木の斜視図である。
【図２】本発明の積み木の断面図である。
【図３】本発明の積み木の組み立て状況の１例の斜視図である。
【符号の説明】
【００１６】  １球体の積み木
２円盤の積み木
３四角盤の積み木
４木材
５ゴム状の皮膜
【図１】
2005245996.tif 000003
【図２】
2005245996.tif 000004
【図３】
2005245996.tif 000005
(57)【要約】【課題】立体状の盤面により、平面の盤を使うゲームにはない、思考を必要とするゲームを提供する。【解決手段】正六角形を面上に規則正しく配置し、全体を二十面体とした各々の頂部を正五角形の平坦な面として立体状の盤面を形成し、その盤面の形成に磁性体のシートを使用するか、形成した盤面に磁性体のシートを張り合わせることにより、ゲームの駒となるマグネットの石を盤上に置けるようにしたことを特徴とする立体ゲーム盤。【選択図】  図１
2005245995.tif 000002
【特許請求の範囲】
【請求項１】
正六角形を面上に規則正しく配置し、全体を二十面体とした各々の頂部を正五角形の平坦な面として立体状の盤面を形成し、その盤面の形成に磁性体のシートを使用するか、形成した盤面に磁性体のシートを張り付けることにより、マグネットの石を盤面上に置けるようにしたことを特徴とする立体ゲーム盤。
【請求項２】
請求項１の立体ゲーム盤を、コンピュータのディスプレイ上に表示し、盤面の回転や盤面上への石の配置などの操作をコンピュータのマウスやキーボードなどの入力手段で行えるようにしたことを特徴とするゲームソフトウェアプログラムまたは当該プログラムを記録した記録媒体。
【発明の詳細な説明】
【技術分野】
【０００１】  本発明は、正五角形と正六角形で立体状に盤面を形成したゲーム盤に関するものである。
【背景技術】
【０００２】  従来、囲碁、将棋、オセロなど、盤面が平面のゲームは多数あった。
【発明の開示】
【発明が解決しようとする課題】
【０００３】  そのために、次のような問題点があった。
盤面が平面であるため、常に盤面全体が見えていて、自分および競技相手の駒の配置が一目瞭然であるため、勝つための駒の置き方を思考する際にはその盤面だけを見ればよかった。
本発明は、この問題点を解決し、平面視からくる単純な駒の置き方の戦法思考を脱し、より複雑な思考が求められるゲーム盤を提供するためになされたものである。
【課題を解決するための手段】
【０００４】  正六角形を面上に規則正しく配置し、全体を二十面体とした各々の頂部を正五角形の平坦な面として立体状の盤面を形成する。その盤面の形成に磁性体のシートを使用するか、形成した盤面に磁性体のシートを張り付けることにより、ゲームの駒となるマグネットの石を盤面の上に置いたときに、勝手に動いたり、下に落ちたりしないようにする。以上を特徴とする立体ゲーム盤である。
【発明の効果】
【０００５】  立体盤面上の正六角形を目とし、そこにマグネットの石を置いていってゲームを行う。その際、盤の半分は各競技者の視界から隠れてしまうことから、隠れた部分の石の配置については頭で考えなければならないため、複雑な思考が要求されるゲームとなる。
【発明を実施するための最良の形態】
【０００６】  以下、本発明の実施の形態について説明する。
（イ）図１は本発明の一実施例を示す立体ゲーム盤であるが、全体を各角度形成部分にゆるやかなアール（湾曲）をもたせた二十面体として盤本体を形成する。
（ロ）前記ゲーム盤本体には、その表面に正六角形の小さな図を、規則正しく左右前後に描き配置する。この際、隣り合う正六角形どうしが当接する部分には、溝を形成してもよく、形成しなくともよい。
（ハ）前記ゲーム盤とは別に、黒と白の二種類から成る石（本発明における置き駒となるもの）を、裏面に磁性をもたせて形成する。
図２においては、一実施例として円形の石を示したが、これに拘泥するものではなく、盤面の正六角形の部分を覆えるものなら、三角形や他の多角形、星形、立体形として形成しても何ら差し支えないものである。
（ニ）次に、正二十面体の各頂点部位を小さく平坦な面とし、この面を正五角形として形成する。
（ホ）盤面（１）の形成に磁性体のシートを使用するか、立体状に形成した盤面（１）に磁性体のシートを張り付けることにより、マグネットの石を盤面の上に置いたときに、勝手に動いたり、下に落ちたりしないようにする。
本発明は以上のような構成で、ゲームを行うときには、競技者が各々の石を盤面（１）の上の正六角形（３）の目に置いていく。石を置きたい目が視界から隠れていたり、思考のために隠れている部分を見えるようにしたい場合には、立体状の盤面を回転するなどして見えるようにする。見えなかった部分を見えるようにすると、今まで見えていた部分が見えなくなるので、考えをまとめるのが容易でなく、平面の盤面を使用するゲームにはない思考を要するゲームを楽しむことができる。
【実施例１】
【０００７】  図２に示すように、二人の競技者が手持ちのマグネットの石（それぞれ黒または白）を正六角形の目に交互に置いていき、ひとつの正五角形の部位から立体の対角線上の反対面の部位に形成された正五角形の部位までの間を、手持ちの石を置いた正六角形（４）でひとつながりにつなげた方を勝ちとする（図２では黒石を持った方の勝ち）。
【実施例２】
【０００８】  図は省略したが、上記ゲームをコンピュータ上で行うようにすることもできる。すなわち、上記盤面をコンピュータのディスプレイ上に表示し、盤面の回転や盤上への石の配置などの操作をコンピュータのマウスやキーボードなどの入力手段で行えるようにプログラムするのである（請求項２記載）。
【図面の簡単な説明】
【０００９】
【図１】  本発明の斜視図
【図２】  本発明の使用状態を示す斜視図
【符号の説明】
【００１０】      １  立体ゲーム盤
２  正五角形
３  正六角形
４  マグネットの石（黒石）
５  マグネットの石（白石）
【図１】
2005245995.tif 000003
【図２】
2005245995.tif 000004
(57)【要約】【目的】  本発明は便利さとアクセサリーを兼ねた商品である。【構成】  本発明は▲２▼と▲３▼の部品によって多目的なアクセサリーになる。但し▲２▼と▲３▼が一緒に無くても良い  ▲２▼だけでも箸置きとスカーフ止めにもなる  ▲３▼は付けたほうが良いが付けなくても良い。【選択図】  図１
2005245993.tif 000002
【特許請求の範囲】
【請求項１】
用途が一律であった  箸置きやスカーフ止め  又は  ブローチ等その他アイデア次第で  多目的利用が出来る様にした事を特徴とする、アクセサリーである。
【発明の詳細な説明】
【考案の詳細な説明】
【産業上の利用分野】
【０００１】本考案は、箸置きに利用したり  スカーフ止めにしたり  ブローチにしたり一つのもので用途を様々に変える事ができる多目的アクセサリーである。
【背景技術】
【０００２】一般家庭、飲食店、スナック、等あらゆる所で利用されている箸置き  や  装身具に用いられているアクセサリー等は  それぞれの単一的利用しかされていなかった。
【考案が解決しようとする課題】
【０００３】１つの品物で  様々な利用法が考えられる  商品があれば便利であると思い考案したものである。
【課題を解決するための手段】
【０００４】本考案は、デザインしたものに  ある種の形をした部品を付ける事により  多目的商品として利用出来る様に考案した  商品である。
【作用】
【０００５】テーブルの上に置けば箸置きとして利用ができたり  コップの縁に引っ掛ければコップのアクセサリーになったり  スカーフをする時などは  スカーフ止めにする事などが出来、又はブローチにも出来、アイデア次第では様々な用途が考えられる。
【０００６】以下、添付図面に従って一実施例を説明する。図１は多目的アクセサリーの裏側面であり、▲１▼は主になる部分でデザインを施した部分である  材質は金属でもプラスチックでも木でも何でも良い。▲２▼は台になったりスカーフを差し込んだりする部分である  ▲３▼はポケットとかハンドバックの縁とか茶碗の縁りとかグラスの縁とか  安全を考えながら  挟んで頂く部分である。図２は表側から見た図である蝶のデザインの部品で有るが  蝶に限らずどんなデザインでも良い。又▲２▼の部分もスカーフが差し込めれば良いし箸置きの台になるなら形は  どの様な形をしてても良い。▲３▼も挟めれば良いのであって形とか部品の種類には拘らない。
図３は側面から見た図である。
図４は斜め後ろから見たイラストで有る。
【発明の効果】
【０００７】上述の様に、本発明は従来用途が一律であった  箸置きやスカーフ止め  又は  ブローチその他  アイデア次第で  多目的利用が出来る様にしたアクセサリーである。
【図面の簡単な説明】
【図１】アクセサリーの裏面図の一例である。
【図２】アクセサリーの平面図の一例である。
【図３】アクセサリーの側面図である。
【図４】アクセサリーの斜め裏から見たイラストである。
【符号の説明】
▲１▼  多目的アクセサリーの主となるデザインの部分。
▲２▼  箸置にするときの台になる部分とスカーフを差し込んだりする部分。
▲３▼  多目的アクセサリーを他の場所に挟む為の部分。
【図１】
2005245993.tif 000003
【図２】
2005245993.tif 000004
【図３】
2005245993.tif 000005
【図４】
2005245993.tif 000006
(57)【要約】【課題】      ペットボトル状の筒を使ったゴルフボールのピッカーを提供する。【解決手段】  底部が開口しているペットボトル状の筒の蓋の上側に、パターなどのクラブのグリップの先端部が差し込めるゴムキャップ保持部を取り付ける。筒の底部開口部の内側にスポンジゴムを貼り付ける。筒の上部の側面にゴルフボールが通せる大きさのボール取出し穴を設ける。同ボール取り出し穴の近くに、同用具を腰ベルトに装着するためのフックを取り付ける。  以上を特徴とするゴルフボールピッカー。【選択図】    図１
2005245992.tif 000002
【特許請求の範囲】
【請求項１】
底部が開口しているペットボトル状の筒の蓋部の上側に、パターなどのクラブのグリップ先端部を差込み保持させるゴムキャップを取り付ける。筒の底部開口部の内側に、スポンジゴムをを貼り付ける。筒の上部の側面にゴルフボールが通せる大きさのボール取出し穴を設ける。同ボール取出し穴の近くに、同用具を腰ベルトへ装着するためのフックを取り付ける。
以上を特徴とするゴルフボールピッカー。
【発明の詳細な説明】
【技術分野】
【０００１】  本発明はカップ内やグリーン上のゴルフボールを立ったままの姿勢で楽にピックアップできる、ゴルフボールのピッカーに関するものである。
【背景技術】
【０００２】  カップ内やグリーン上のゴルフボールをピックアップするには、かがむか又は腰を大きくまげて手でピックアップするのが一般的であった。
【発明の開示】
【発明が解決しようとする課題】
【０００３】  そのために次のような問題点があった。
（イ）ピックアップするのにかがんだり、大きく腰を曲げたりするため、腰に負担がかかった。
（ロ）カップの近くに足を置かざるをえず、シューズでカップ付近の芝を痛めることがあった。
本発明は、以上の問題点を解決するためになされたものである。
【課題を解決するための手段】
【０００４】  底部が開口しているペットボトル状の筒の蓋部の上側に、パターなどのクラブのグリップ先端部が差し込めるゴムキャップ保持部を取り付ける。筒の底部開口部側の内側に、スポンジゴムを貼り付ける。筒の上部の側面にゴルフボールが通せる大きさのボール取出し穴を設ける。同ボール取出し穴の近くに、同用具を腰ベルトへ装着するためのフックを取り付ける。
以上を特徴とするゴルフボールピッカーである。
【発明の効果】
【０００５】  （イ）立ったままの姿勢でカップ内やグリーン上のゴルフボールを腰に負担をかけることなく、簡単にピックアップすることができる。
（ロ）カップから少し離れた位置からでもピックアップできるため、シューズでカップ付近の芝を痛めない。
（ハ）ピックアップしたボールは筒の側面に開けられたボール取出し穴から簡単に取り出すことができる。
（ニ）クラブグリップとセットしていないときは、フック部分を腰のベルトにかけることで、プレーの邪魔にならずに持ち運べる。また予備球の携帯にも利用できる。同フックがボール取り出し穴の近くに取り付けられていることから、腰にかけた状態では穴が身体側を向いているためスイング時にボールが用具から飛びだすこともない。
【発明の実施するための最良の形態】
【０００６】  以下、本発明の実施の形態について説明する。
（イ）ゴルフボールの直径より内径が大きく、底部が開口しているペットボトル状の筒（１）の蓋部（２）の上側に、椅子キャップ状のゴムキャップ保持部（３）を取り付ける。
（ロ）筒の底部の内側にスポンジゴム（４）を貼り付ける。
（ハ）筒の上部側面にゴルフボールが通せるボール取り出し穴（５）を設ける。
（ニ）ボール取出し穴付近の筒の外側に腰ベルトに掛けるためのフック（６）を取り付ける。
本発明は以上のような構成で、これを使用するときは、パターなどのグリップの先端部をゴムキャップ保持部（３）に差込み、クラブをヘッド部を上にして杖のように持ち、筒の底部開口部（７）をゴルフボールに押し付ける。押し付けられたボールはその圧力でスポンジゴム部（４）を通過し、その上部筒内にとどまる。中に入ったゴルフボールはスポンジゴム（４）により底部開口部（７）からこぼれでない。
ゴルフボールは筒部上部に設けられたボール取り出し穴（５）から簡単に取り出すことができる。また、同用具は側面にとりつけられたフック（６）を腰のベルトに引っ掛けることで簡単に携行できる。
小さく軽量であり腰の後部にかけているためプレーの支障にはならない。
また予備球の携行用具としても利用できる。
【図面の簡単な説明】
【０００７】
【図１】本発明の斜視図である
【図２】図１の筒部縦方向への断面図である
【図３】図１の（３）ゴムキャップ保持部の斜視図である
【図４】本発明使用時の状況図である
【符号の説明】
【０００８】        （１）ペットボトル状の筒
（２）蓋
（３）ゴムキャップ保持部
（４）スポンジゴム
（５）ボール取り出し穴
（６）フック
（７）底部開口部
（８）ゴルフボール
【図１】
2005245992.tif 000003
【図２】
2005245992.tif 000004
【図３】
2005245992.tif 000005
【図４】
2005245992.tif 000006
(57)【要約】      （修正有）【課題】吸引部操作の上手下手、敷物からの摩擦から逃れることができるローターを提供する。【解決手段】ローター２を軸、軸受けで固定せず、受ける力に応じて上下動が可能な縦長凹部３を設けた。【選択図】図２
2005245994.tif 000002
【特許請求の範囲】
【請求項１】
吸引空気で遊動回転するローター
【発明の詳細な説明】
【発明の詳細な説明】
【０００１】［発明の属する技術分野］吸引部内のローターを．吸引空気で遊動回転させる技術に関る。
【０００２】［従来の技術］掃除機で掃除を効果的に行うために．吸引部内にローター（回転ブラシ等）が内装されてあります。このローター（回転ブラシ等）の働きは．敷物の表面に接し回転することにより．掃く．あるいわ振動等を与えて付着の塵などを．吸引空気中に飛散させて掃除機のバックに補集するものであります。ところが．このローター（回転ブラシ等）は軸および軸受けで吸引部内に固定されているために．掃除を行うとき敷物に強く接すると摩擦により回転が減少および停止に至り、その都度吸引部を引き上げたり．浮かすように動かす必要があった。軸受けを若干すべらせるものもあるが効果は小さい。また回転は別の動力から伝導されているのが主である。
【０００３】［発明が解決しようとする課題］吸引部内でローター（回転ブラシ等）が軸．軸受けで固定された構造のものは吸引部を敷物に強く押し付けたとき．その力がそのまま伝わるため敷物と強く接触．摩擦し回転減少あるいわ停止にいたり効果がなくなる。又．敷物の表面凸凹からも受ける摩擦に強弱があり同様のことが起こる。したがってローター（回転ブラシ等）は吸引部の押し付ける力の影響をうけず．敷物からの押し上げからも逃れる必要がある。本発明はローターを軸．軸受けで固定せず．強く押し付けたときも．敷物の凸凹にも影響を受けない構造にすることを課題とした。
【０００４】［課題を解決するための手段］上記課題を解決するために．請求項目１記載の吸引部（１）に内装のローター（２）には．従来の軸．軸受が無くローター（２）の軸心に相当する部分を．吸引部（１）内の一対の凹部（３）で支え遊動回転出来る構造にした．凹部（３）は．軸心が上方向に逃げ易い．縦長とした又．ローター（２）には一方向の回転力が得られるよう切り込みを設け．吸引空気により回転させるこうすることにより吸引部（１）が強く押し付けられても．敷物の凸凹に対してもローター（２）は敷物に乗り上げた格好と成るだけで．その切り込みの凸凹により振動を与えながら回転するようになる。
【０００５】［発明実施の形態］ローター（２）は、受ける力から縦長の凹部（３）内を上下動で逃れるため回転が順調となる。
【０００６】［発明の効果］（イ）敷物の種類に関係なく使用できる。（ロ）ブラシローターに比べ糸屑等の巻き付きが無い。（ハ）したがって掃除の能率があがる。
【図面の簡単な説明】
【図１】正面破断図
【図２】測面破断図［符号の説明］（１）吸引部  ・・・真空掃除機の操作ノズル先端部。（２）ローター・・・吸引部内で敷物に振動を与える回転体。（３）凹部    ・・・ローターの回転を支える縦長のくぼみ。
【図１】
2005245994.tif 000003
【図２】
2005245994.tif 000004
(57)【要約】【課題】指先を突っ込む恐れのある隙間部を閉塞した遊戯用鎖及び隙間閉塞部材の提供【解決手段】この発明の遊戯用鎖は、ブランコ等を吊り下げる遊戯用の鎖であって、連結部を除く残余の隙間部Ａに、鎖１の対向する長辺部２，２を跨いで、モ−ルド加工により、ゴム又はプラスチック３を埋め込み、隙間部Ａを閉塞しており、又隙間閉塞部材は、板状の短冊片４の対向する長辺部５，５に、鎖１の対向する長辺部２，２に嵌着可能な嵌合部６，６を設けている。【選択図】 図２
2005245589.tif 000002
【特許請求の範囲】
【請求項１】
ブランコ等を吊り下げる遊戯用の鎖であって、連結部を除く残余の隙間部（Ａ）に、鎖（１）の対向する長辺部（２，２）を跨いで、モ−ルド加工により、ゴム又はプラスチック（３）を埋め込み、前記隙間部（Ａ）を閉塞したことを特徴とする遊戯用鎖
【請求項２】
連結部を除く残余の隙間部（Ａ）を閉塞するための部材であって、板状の短冊片（４）の対向する長辺部（５，５）に、鎖（１）の対向する長辺部（２，２）に嵌着可能な嵌合部（６，６）を設けたことを特徴とする隙間閉塞部材
【発明の詳細な説明】
【技術分野】
【０００１】
本発明は遊戯用鎖及び隙間閉塞部材に関するものである。
【背景技術】
【０００２】
従来、ブランコ等を吊す遊戯用の鎖は、図１に示すように、隙間部Ａが存在していたので、ブランコに乗って遊んでいる子供が誤って前記隙間部Ａに指先を突っ込み、抜けなくなるという不具合が生じ、最悪の場合には、指先を骨折するという問題があった。
【特許文献１】実開平５−８４３８６号公報
【特許文献２】特表２００１−５０１５２１号公報
【発明の開示】
【発明が解決しようとする課題】
【０００３】
この発明は、背景技術で記述した問題を解消するためになされたもので、指先を突っ込む恐れのある隙間部を閉塞した遊戯用鎖及び隙間閉塞部材の提供を目的とするものである。
【課題を解決するための手段】
【０００４】
この発明の遊戯用鎖は、ブランコ等を吊り下げる遊戯用の鎖であって、連結部を除く残余の隙間部に、鎖の対向する長辺部を跨いで、モ−ルド加工により、ゴム又はプラスチックを埋め込み、前記隙間部を閉塞したことを特徴とするものである。
【０００５】
この発明の隙間閉塞部材は、連結部を除く残余の隙間部を閉塞するための部材であって、板状の短冊片の対向する長辺部に、鎖の対向する長辺部に嵌着可能な嵌合部を設けたことを特徴とするものである。
【発明の効果】
【０００６】
この発明は上述のように構成されているので、次のような効果を呈する。
（１）鎖の隙間が閉塞されているので、指先を突っ込むという不具合の発生を防止できる。
（２）握り心地がよく、手の滑りを防止できる。
（３）既設の隙間が存在する鎖に、隙間閉塞部材を装着することにより、隙間をなくすことができるので、指先を突っ込むという不具合の発生を防止できる。
（４）隙間が存在する既設の鎖に対しては、隙間閉塞部材によって簡単に隙間をなくすことができる。
【発明を実施するための最良の形態】
【０００７】
指先を突っ込む恐れのある隙間部を閉塞した遊戯用鎖及び隙間閉塞部材の提供という目的を、モ−ルド加工によって、隙間部にゴム又はプラスチックを埋め込んだり、又は板状の短冊片の両側に鎖に嵌着する嵌合部を設けることにより実現できた。
【実施例】
【０００８】
この発明の実施の一例を図面を参照しながら説明する。ブランコ等を吊り下げる遊戯用の鎖であって、図１において上下の点線間で示すように、連結部を除く残余の隙間部Ａに、図２に示すように、鎖１の対向する長辺部２，２を跨いで、モ−ルド加工により、ゴム又はプラスチック３を埋め込み、隙間部Ａを閉塞している。
【０００９】
なお、ゴム又はプラスチック３としては、シリゴ−ンゴム、ＥＰＲ、ＰＶＣ、ＰＥ等が適用できる。金型を使用した成型処理になるので、既設の遊戯用の鎖の場合には、モ−ルド加工工場に持ち込み処理されることになる。
【００１０】
したがって、仕上がりがきれいで、見栄えがよく、しかも鎖１の長辺部２，２がゴム又はプラスチック３で覆われているので、金属の冷たさがなく、柔軟性のある暖かさを感じ、握り心地がよく、滑り止め作用を奏する。
【００１１】
図１において上下の点線間で示すように、連結部を除く残余の隙間部Ａを閉塞するための部材であって、図３に示すように、板状の短冊片４の対向する長辺部５，５に、鎖１の対向する長辺部２，２に嵌着可能な嵌合部６，６を設けている。
【００１２】
図３（ａ）は、板状の短冊片４の対向する長辺部５，５に、半円筒状の嵌合部６，６の縁部の一方を連結させるようにして構成させた例で、実施に際しては、半円筒状の嵌合部６，６の内面に接着剤を塗布して、鎖１の対向する長辺部２，２に嵌着させる。既設の鎖では、現場で処理できるという利点がある。
【００１３】
図３（ｂ）は、板状の短冊片４の対向する長辺部５，５に、半円筒状の嵌合部６，６の底部を連結させるようにして構成させた例で、実施に際しては、半円筒状の嵌合部６，６の内面に接着剤を塗布して、鎖１の対向する長辺部２，２に嵌着させる。既設の鎖では、現場で処理できるという利点がある。
【００１４】
板状の短冊片４のサイズは、連結部を除く残余の隙間部Ａのサイズとほぼ同等である。
なお、本例では、図３に示すような嵌合部６，６を例示したが、これに限定されるものではなく、鎖１の対向する長辺部２，２に嵌着可能な形状・構成の嵌合部６，６は全て適用できる。
【産業上の利用可能性】
【００１５】
新設又は既設のブランコ等の遊戯用鎖の隙間を閉塞する用途として利用できる。
【図面の簡単な説明】
【００１６】
【図１】鎖の一部切欠正面図
【図２】鎖の隙間にゴム又はプラスチックを埋め込んだ状態を示す一部切欠正面図
【図３】隙間閉塞部材の実施例を示す概略斜視図
【符号の説明】
【００１７】
１ 鎖
２ 鎖の対向する長辺部
３ ゴム又はプラスチック
４ 板状の短冊片
５ 板状の短冊片の対向する長辺部
６ 嵌合部
Ａ 連結部を除く残余の隙間部
【図１】
2005245589.tif 000003
【図２】
2005245589.tif 000004
【図３】
2005245589.tif 000005
(57)【要約】【課題】  短時間で、効率良く草取り作業が出来る、草取り機を提供する。【解決手段】モーター３により、歯車４を介して刃具５を回転させる。【選択図】  図２
2005245425.tif 000002
【特許請求の範囲】
【請求項１】
モーター（３）により刃具（５）を回転させ、土の表面を削り取って、雑草を取り除く、草取り機
【請求項２】
回転方向（７）に対し、刃（６）の向きが、図３の通りで、図４のように刃具の本体取付面（９）と、刃の前縁部（８）とのなす平均角度（１０）が鈍角の、草取り機用刃具
【発明の詳細な説明】
【発明の詳細な説明】
【技術分野】
【０００１】この発明は、モーターによって回転させる刃具により、雑草を取り除く、草取り機に関するものである。
【背景技術】
【０００２】従来は、柄の先に金属の刃を取付けた器具を使用して、手作業で草取りをしていた。従って効率が悪く、時間がかかる作業であった。
【発明が解決しようとする課題】
【０００３】本発明はその欠点を改善するため、短時間で作業を完了させることを課題として、研究をすすめた。
【課題を解決するための手段】
【０００４】短時間で作業を完了させるには、刃具をモーターで回転させ、土の表面を削り取って、雑草を根こそぎ取り除くのが最良であるとの結論に達した。
【発明を実施するための最良の形態】
【０００５】モーターにより刃具を回転させて土の表面を削る方法につき、試作を繰り返してテスストした結果、図３の形状の刃具が土の付着が少なく、石に接触したときの衝撃が小さいことを発見した。
【発明の効果】
【０００６】従来の柄の付いた器具を使用する方法においては、雑草を抜き取る作業と、根に付いた土を払い落とす作業の両方が必要であった。本発明は高速回転する刃具で、土を粉砕しながら根を掘り出すため、根に付いている土はわずかで、作業時間を大幅に短縮することが可能となった。
【図面の簡単な説明】
【図１】  本発明の平面図
【図２】  本発明の構造図（側面図）
【図３】  刃具の形状図
【図４】  刃具の部分側面図
【符号の説明】
１．防塵カバー
２．保持用ハンドル
３．モーター
４．歯車
５．刃具
６．刃
７．回転方向
８．刃の前縁部
９．刃の本体への取付面
１０．刃の本体への取付面と刃前縁部との平均角度
【図１】
2005245425.tif 000003
【図２】
2005245425.tif 000004
【図３】
2005245425.tif 000005
【図４】
2005245425.tif 000006
(57)【要約】      （修正有）【課題】初心者や女性でも自身で回転刃の交換を容易にでき、安心して作業が出来る回転刃取付ホルダーを提供する。【解決手段】回転刃１１、１２を挟持する受側ホルダー２１、２２又は押え側ホルダー３１、３２を磁化する。この磁化されているホルダーの磁力で受側ホルダー２１、２２の中心円形状の突起に合わせ、反対側の側面から押え側ホルダー３１、３２によって押し付けられた回転刃の状態を維持する。最後にワッシャとボルト４１、４２又はナットで押え側ホルダー３１、３２を固定する。上記理由により、ボルト４１、４２を累合する途中で回転刃１１、１２の中心と回転軸５１、５２の中心がずれる心配がない。【選択図】図１
2005245421.tif 000002
【特許請求の範囲】
【請求項１】
回転刃を挟持する受側ホルダーまたは押え側ホルダーを磁化させたことを特徴とする回転刃取付ホルダー。
【発明の詳細な説明】
【技術分野】
【０００１】  本発明は、動力により駆動する回転刃を利用して切断作業や刈払作業をするカッターの回転刃の取付が簡単確実に出来る回転刃取付ホルダーに関する。
【背景技術】
【０００２】  従来の機械に於ける回転刃の取付方法は、受側ホルダーと押え側ホルダーで回転刃の中心の丸穴円周部を挟み、左ネジボルト又はナットにて回転軸に締め付ける方法がとられている。
【発明の開示】
【発明が解決しようとする課題】
【０００３】  以上に述べた従来のカッター回転刃の取付方法では、刈刃取付作業の初期段階では、回転刃の丸穴円周部を受側ホルダーの中心の円形状突起部をはめ合わせて押し付ける。その状態を保持しながら押え側ホルダーを回転刃の反対側面から押し付ける。さらに、その状態を確保しながら押さえ側ホルダーを固定するスプリングワッシャとナット又はボルとで回転軸に累合固定する。【０００４】  この時、回転軸の中心と受側ホルダー、回転刃、押え側ホルダー、スプリングワッシャー、ナット又はボルトのセンターを同時に合わせつつナットまたはボルトを締めていく必要があり、コツを必要とする。【０００５】  特に、刈払い機などの回転刃はその裏側すなわち地面側からナット又はボルトで回転軸に累合固定されているので、刈払い機を反転した不安定な姿勢での交換作業を強いられる。【０００６】  さらに、作業中に押え側ホルダーが擦り減ることを防止すべく外周部がナットやボルト頭部の高さより張り出した押え側ホルダー又はカバーが採用されているため、ナット又はボルトを回転軸に累合する初期の段階で回転刃の丸穴円周部と受側ホルダーの中心の円形状突起部のはめ合わせがずれてしまう欠点がある。【０００７】  以上に述べた従来の刈払機の回転刃取付ホルダーでは、その難しさゆえ、使用者本人が自分で回転刃の交換が出来ずに熟練者に依頼される場合がかなりあった。【０００８】  本発明は、このような従来の回転刃取付ホルダーが有していた問題を解決しようとするものであリ、誰でも自身で簡単かつ確実に回転刃が交換でき、安心して作業が出来る回転刃取付ホルダーを提供することを目的とするものである。
【課題を解決するための手段】
【０００９】  そして、本発明は上記目的を達成するため、回転刃を挟持する為の受側ホルダー又は押え側ホルダーを磁化させる。【００１０】  上記解決手段による作用は次のとおりである。あらかじめ受側ホルダーの円形状の突起と回転刃の中心位置決めをしてその反対側面から押え側ホルダーを回転軸に挿入して丸穴円周部を押えて挟む。【０００１１】  その時、受側ホルダー又は押え側ホルダーは磁化されているので、その磁力により手を離してもそのままの状態を維持することが可能となる。その後に、ワッシャやナット又はボルトを回転軸に累合する途中で回転軸と回転刃の中心がずれることも無い。
【発明の効果】
【００１２】  上述したように本発明は、なれない人でも簡単、確実に回転軸の中心に回転刃の取付交換が出来る、利便性や安全性の高い回転刃取付ホルダーを提供できる。
【発明を実施するための最良の形態】
【００１３】  以下、本発明を図１において説明する。【００１４】  図１においては、１１，１２は回転刃で、２２，２２は受側ホルダー、３１，３２は押え側ホルダー、４１，４２はボルト、５１，５２は回転軸６はギアヘッド。【００１５】  回転刃１１、１２は受側ホルダー２１、２２と押え側ホルダー３１、３２により挟持され、ワッシャとボルト４１、４２により回転軸５１、５２に締め付けて挟持固定される構造となる。
【図面の簡単な説明】
【００１６】
【図１】本発明の実施形態を示す切断用回転刃取付ホルダーと刈払い機用の断面図
【符号の説明】
【００１７】  １１、１２は回転刃
２１、２２は受側ホルダー
３１、３２は押え側ホルダー
４１、４２はボルト
５１、５２は回転軸
６はギアケース
【図１】
2005245421.tif 000003
(57)【要約】【課題】  水田の用水を確保し、不要用水を排出する用具において、畦・水田に対する設置安定が良くない為、水田の必要水量を確保することが困難である。この不具合を解消し、安定した水量を確保すると同時に、当該水田に不要な用水を隣接する水田に供給する。【解決手段】  水位調整排水具の形状を箱型にすることにより、畦・水田に対する設置安定度を上昇させると共に、水量調節板により当該水田の必要水量を確保することが可能である。【選択図】    図１
2005245426.tif 000002
【特許請求の範囲】
【請求項１】
水田の境界である畔に取り付け、当該、水田の必要とする水量を確保する為の水位調節板と、当該、水田に不要である水を隣接水田に供給する為の、排水具を備えたことを、特徴とする水位調節排水具。
【発明の詳細な説明】
【技術分野】
【０００１】  本発明は、水田等の畦に取り付け、水田の必要とする水量を確保し、不要である水を隣接水田に供給する水位調節排水具に関する。
【背景技術】
【０００２】  従来の水田の所定水位を確保する為の手段として、堰板または特開平０８−２３８０３０等で知られる排水具が用いられている。
【発明の開示】
【発明が解決しようとする課題】
【０００３】  しかしながら、堰板は平板状で設置安定感が良くない。また、上述の特開平０８−２３８０３０は、外周面と周囲の土砂との間に、水量設定時、耕作時、人の歩行及び車両の走行等による振動により隙間が生じ、その隙間より用水が流出し水位の確保が不可能な状態が生ずるおそれがあった。また、隣接する水田間で段差が少ない場合、隣接水田に水を供給することが不可能な場合が生じた。【０００４】  従って、本発明は、かかる課題を解決し、畦に対して安定性があり、尚且つ、段差が少ない隣接水田にも水を供給可能な水位調節排水具を提供することに有る。
【課題を解決するための手段】
【０００５】  本発明は、上記課題を解決し目的を達成するため、箱型の構造として畦及び水田に対しての設置が安定し、長期にわたり水田に対する水量の確保を可能とした水位調節排水を特徴としている。
【発明の効果】
【０００６】  本発明は、水田の畦に取り付け、水田の水位を調節・排出する用具について、水田側前面に上下する水位調節板を設け、水田側の水量を確保すると同時に、後面側に不要な用水を隣接水田に供給する為の排水具を備え、且つ、形状を箱型にすることによって畦との接触面積が増加することにより、設置安定性が向上する。
【発明を実施するための最良の形態】
【０００７】  本発明による水位調節排水具の斜視図を図１に示す。
水位調節排水具１の前面に、開口部５が設けてあり、開口寸法を調節する水位調節板２が設けられている。水位調節板２を上下移動することにより、水田に必要な水量を確保することが可能となる。また、水位調節排水具１の後面には排水具３が設けられており、水位調節板２による調節された不要な用水を、隣接する水田又は、排水路に排出する。
水位調整排水具１には畦と水位調節排水具との隙間を閉ざす為の板４が設けられており、畦と水位調節排水具との間よりの用水流出を防止する。
【実施例】
【０００８】  水位調節排水具の一実施例が畦に設置された状態を図２に示す。
水田の必要とする水量を水位調節板２で調節し、不要な用水は排水具３より排出される。水位調節排水具１は立方形の為、水田及び畦に対し安定した形状であり、設置する畦の土質によっては、水位調節排水具の底面にコンクリート基礎６を設けることにより、更に設置安定性を図ることが可能となる。【０００９】  水位調節排水具の側断面図を図３に示す。
水位調節板２により水位を設定後、止具７により水位調節板２を固定する。
【産業上の利用可能性】
【００１０】
【図面の簡単な説明】
【図１】水位調節排水具の斜視図を示す。
【図２】水位調節排水具の設置例を示す。
【図３】水位調節排水具の側断面図を示す。
【符号の説明】
１  水位調節排水具
２  水位調節板
３  排水具
４  板
５  開口部
６  コンクリート基礎
７  止具
【図１】
2005245426.tif 000003
【図２】
2005245426.tif 000004
【図３】
2005245426.tif 000005
(57)【要約】【課題】磁気作用と同時に指圧効果を得ることができる磁気ブレスレットまたは磁気指圧器を提供する。【解決手段】磁気ブレスレットは、支持体と、該支持体に取け付られて人のリストに着脱可能なバンドと、前記支持体に取付られた少なくとも１つのリング状の軟磁性体と、該軟磁性体の各々に嵌合されて軟磁性体に強固に保持されるボール状の磁石とからなる。また、磁気指圧器は、支持体と、前記支持体に取付られた少なくとも１つのリング状の軟磁性体と、該軟磁性体の各々に嵌合されて軟磁性体に強固に保持されるボール状の磁石とからなる。【選択図】    図１
2005245491.tif 000002
【特許請求の範囲】
【請求項１】
支持体と、該支持体に取け付られて人のリストに着脱可能なバンドと、前記支持体に取付られた少なくとも１つのリング状の軟磁性体と、該軟磁性体の各々に嵌合されて軟磁性体に強固に保持されるボール状の磁石とからなることを特徴とする磁気ブレスレット。
【請求項２】
支持体と、前記支持体に取付られた少なくとも１つのリング状の軟磁性体と、該軟磁性体の各々に嵌合されて軟磁性体に強固に保持されるボール状の磁石とからなることを特徴とする磁気指圧器。
【発明の詳細な説明】
【技術分野】
【０００１】
本発明は、磁気ブレスレットおよび磁気指圧器に関する。
【背景技術】
【０００２】
従来例の磁気ブレスレットとしては、特開平１１−１０３９１５号公報に記載のものが提案されている。この公報に記載の磁気ブレスレットは、玉として磁石に吸い付く力の弱い物質を使用しその中に強い磁石を入れ、玉を次々に連結させてリング状にしブレスレットを形成するものである。また、玉に種々の組み合わせ（色、形、大きさ）を用い多様性に富んだブレスレットを提供するものである。
【特許文献１】特開平１１−１０３９１５号公報
【発明の開示】
【発明が解決しようとする課題】
【０００３】
従来例の磁気ブレスレットでは、主に、視覚性に富んだブレスレットを意図しているものであるが、ブレスレットが磁気を帯びているので、人がブレスレットを着用すると、磁気作用により血行をよくすることも期待される。しかしながら、磁気作用と同時に指圧効果を働かせるようにすることはできないものである。
【０００４】
したがって、本発明の目的は、磁気作用と同時に指圧効果を得ることができる磁気ブレスレットまたは磁気指圧器を提供することにある。
【課題を解決するための手段】
【０００５】
本発明の磁気ブレスレットは、支持体と、該支持体に取け付られて人のリストに着脱可能なバンドと、前記支持体に取付られた少なくとも１つのリング状の軟磁性体と、該軟磁性体の各々に嵌合されて軟磁性体に強固に保持されるボール状の磁石とからなることを特徴とする。
【０００６】
本発明の磁気指圧器は、また、支持体と、前記支持体に取付られた少なくとも１つのリング状の軟磁性体と、該軟磁性体の各々に嵌合されて軟磁性体に強固に保持されるボール状の磁石とからなることを特徴とする。
【発明の効果】
【０００７】
磁気作用と同時に指圧効果を得ることができる磁気ブレスレットまたは磁気指圧器を得ることができる。
【発明を実施するための最良の形態】
【０００８】
本発明の磁気指圧器は、また、支持体と、前記支持体に取付られた少なくとも１つのリング状の軟磁性体と、該軟磁性体の各々に嵌合されて軟磁性体に強固に保持されるボール状の磁石とからなる。
【０００９】
本発明の磁気指圧器は、また、支持体と、前記支持体に取付られた少なくとも１つのリング状の軟磁性体と、該軟磁性体の各々に嵌合されて軟磁性体に強固に保持されるボール状の磁石とからなる。
【実施例】
【００１０】
次に、図面を参照して本発明の実施例を説明する。図1は、磁気ブレスレットの平面図および側面図であり、図２は磁気ブレスレットの指圧動作を示すための磁気領域の拡大断面図である。
【００１１】
図１において、磁気ブレスレット１０は、好ましくはステンレス板からなる支持体12を有する。支持体１２には、例えば鉄のようなリング状の軟磁性体１４が例えば圧入によって固定されている。軟磁性体１４の数は、磁気ブレスレットの場合、好ましくは２つであるが、1つであっても良く、また、３つ以上であってもよい。
【００１２】
リング状の軟磁性体１４のリング内にはボール状の磁石が嵌合されて、磁気作用によりリング状の軟磁性体１４内に強固に保持される。また、ブレスレットとして用いるために、支持体には、例えば時計バンドのようなバンド１８が取け付られている。
【００１３】
図２を参照すると、支持体部分の拡大断面図が示されている。通常の力を加えない状態では、２つのボール状の磁石はリング状の軟磁性体14内に磁気作用により保持されている（図２ａ）。次に、図２ｂの矢印Ａで示すように、例えば、指で力を加えると、ボール状の磁石は下方に移動し、人のリスト（図示せず）を押圧、すなわち、指圧することになる。次に、指を離すと、図２ｃに示すように元に戻る。従って、例えば、両方の磁石を交互にまたは同時に押す等の色々のバリエーションで押圧することで飽きずに指圧を行うことができる。
【００１４】
上記実施例では、支持体１２、軟磁性体１４および磁石１６からなるセットをブレスレットの一部として取り入れて手のリストを指圧するものであるが、他の種々の指圧器具の一部としてこのセットを組み込むことができる。例えば、足裏の指圧の場合には、ゴム等の弾性体からなるサンダルの上部表面にこのセットをいくつか配置することによって、人が歩くとき、ボール状の磁石が上下し、足裏を指圧することになる。また、寝具のマットレスの上にこのセットを配置することによって、人が寝返り等で動くと、やはりボール状の磁石が上下に動き体を指圧することになる。
【図面の簡単な説明】
【００１５】
【図１】磁気ブレスレットの平面図および側面図であり、図１ａは、平面図であり、図１ｂは側面図である。
【図２】磁気ブレスレットの指圧動作を示すための磁気領域の拡大断面図であり、図２ａは初期状態を示し、図２ｂは、指圧状態を示し、図３ｃは復帰状態を示す。
【符号の説明】
【００１６】
１０    磁気ブレスレット
１２    支持体
１４    軟磁性体
１６    磁石
１８    バンド
【図１】
2005245491.tif 000003
【図２】
2005245491.tif 000004
(57)【要約】【課題】パチンコ機、アレンジボール機、スロットマシーン等の遊技機における制御基板等に対する不正を防止する技術に関する。【解決手段】  ＲＡＭが意図的に初期化される要因となる回路を、メイン制御基板に搭載して封印し、配線を外部に露出しないようにした。  さらに、ＣＰＵの供給電圧の異常低下を検知して、バックアップ処理を実行することにより、ＲＡＭの初期化が繰り返し引き起こされ、大当たりを引く可能性を高められることを防止できる。  また、始動入賞球センサからの信号を無効、あるいは、始動入賞球センサを不能にするので、始動入賞信号を異常検知することを防止できる。【選択図】図２
2005245490.tif 000002
【特許請求の範囲】
【請求項１】
停電検出回路と、バックアップ電源と、ＲＡＭクリア信号出力回路とをメイン制御基板に搭載して封印ＢＯＸに収納したことを特徴とする遊技機。
【発明の詳細な説明】
【技術分野】
【０００１】
本発明は、パチンコ機、アレンジボール機、スロットマシーン等の遊技機における制御基板等に対する不正を防止する技術に関する。
【背景技術】
【０００２】
従来、メイン制御基板で管理する大当たり判定用乱数は、所定の周期で＋１加算する判定用カウンタと、異なる周期で＋１加算する初期値カウンタを設け、判定用カウンタが一巡したら、判定用カウンタのカウント初期値を、初期値カウンタの値に変更するようにしている。いわゆる初期値更新方式を採用することにより、大当たり判定用乱数を乱数化して、不正に利益を得る行為を防止している。
ところが、ＲＡＭが初期化された場合は、判定用カウンタや初期値カウンタの値は初期化される。
そのため、一旦ＲＡＭを初期化して、判定用カウンタのカウント初期値が次に初期値カウンタの値に変更される前に（判定用カウンタが一巡する前に）、ＲＡＭを再度初期化する行為を繰り返し行うことで、大当たりを引く可能性を高める行為が行われることが懸念されている。
また、ＲＡＭが初期化されたらサブ制御基板で音声報知することが考えられているが、コマンド線を切断する、あるいはスピーカの線を切断するして、報知音を鳴らせないようにすることが懸念される。
【発明の開示】
【発明が解決しようとする課題】
【０００３】
本発明は、係る点に鑑みてなされたものであり、ＲＡＭの初期化が繰り返し引き起こされ、大当たりを引く可能性を高められることを防止する技術を提供することにある。
【課題を解決するための手段】
【０００４】
ＲＡＭが意図的に初期化される要因となる回路を、メイン制御基板に搭載して封印し、配線を外部に露出しないようにした。
さらに、ＣＰＵの供給電圧の異常低下を検知して、バックアップ処理を実行することにより、ＲＡＭの初期化が繰り返し引き起こされ、大当たりを引く可能性を高められることを防止できる。
また、始動入賞球センサからの信号を無効、あるいは、始動入賞球センサを不能にするので、始動入賞信号を異常検知することを防止できる。
【発明の効果】
【０００５】
本発明によれば、パチンコ機、アレンジボール機、スロットマシーン等の遊技機における制御基板等に対して行われる、大当たりを引く可能性を高められるようにする不正行為を効果的に防止することができる。
【発明を実施するための最良の形態】
【０００６】
以下、本発明実施の形態である遊技機につき図面を参照しつつ説明する。
従来、メイン制御基板で管理する大当たり判定用乱数は、所定の周期で＋１加算する判定用カウンタと、異なる周期で＋１加算する初期値カウンタを設け、判定用カウンタが一巡したら、判定用カウンタのカウント初期値を、初期値カウンタの値に変更するようにしている。いわゆる初期値更新方式を採用することにより、大当たり判定用乱数を乱数化して、不正に利益を得る行為を防止している。
【０００７】
ところが、ＲＡＭが初期化された場合は、判定用カウンタや初期値カウンタの値は初期化される。そのため、一旦ＲＡＭを初期化して、判定用カウンタのカウント初期値が次に初期値カウンタの値に変更される前に（判定用カウンタが一巡する前に）、ＲＡＭを再度初期化する行為を繰り返し行うことで、大当たりを引く可能性を高める行為が行われることが懸念されている。
また、ＲＡＭが初期化されたらサブ制御基板で音声報知することが考えられているが、コマンド線を切断する、あるいはスピーカの線を切断するして、報知音を鳴らせないようにすることが懸念される。
【０００８】
図１のように構成された遊技機においては、ＲＡＭを初期化する方法として次のような方法が考えられる。
（１）ＲＡＭクリア信号線３をＧＮＤにショート（ＯＮ状態）して電源を入れる。（ＲＡＭ強制クリア状態）
（２）バックアップ電源線２をＧＮＤにショートする。（ＲＡＭ供給電源なし状態）
（３）停電検知信号線１をオープンにして電源を入れる。（バックアップ処理不能状態）
（４）ＣＰＵの電源線４をＧＮＤにショートする。（バックアップ未処理状態）
【０００９】
そこで、停電検知回路と、バックアップ電源と、ＲＡＭクリア検出信号回路とをメイン制御基板に搭載して封印ＢＯＸに収納する。（図２）
なお、ＲＡＭクリアスイッチは、意図的にＯＮ状態に固定されたりしないようにする。
さらに、ＣＰＵの供給電源の異常低下を検知した場合にも、バックアップ処理を実行するようにする。
例えば、ＣＰＵの電源を始動入賞口に設けた始動入賞球センサに供給する電源から、レギュレータで変圧（例えば、＋１２Ｖ→＋５Ｖ）して供給する構成（直接ＣＰＵに供給する電源が外部から供給されてなくて、変圧された電源が供給されている場合）では、その始動入賞球センサの電源を監視して、電圧の異常低下を検知したらバックアップ処理を実行する。このとき、始動入賞球センサからの信号をソフトで無効にしたり、あるいは、球センサからの信号をハードで遮断するして不能にする。
【００１０】
このように、ＲＡＭが意図的に初期化される要因となる回路を、メイン制御基板に搭載して封印し、配線を外部に露出しないようにしたので、ＲＡＭの初期化が繰り返し引き起こされ、大当たりを引く可能性を高められることを低減できる。
さらに、ＣＰＵの供給電圧の異常低下を検知して、バックアップ処理を実行することにより、ＲＡＭの初期化が繰り返し引き起こされ、大当たりを引く可能性を高められることを防止できる。また、始動入賞球センサからの信号を無効、あるいは、始動入賞球センサを不能にするので、始動入賞信号を異常検知することを防止できる。
【図面の簡単な説明】
【００１１】
【図１】従来の遊技機の構成を示す図
【図２】本発明の遊技機の構成を示す図
【符号の説明】
【００１２】
１  停電検知信号線
２  バックアップ電源線
３  ＲＡＭクリア信号線
４  電源線
【図１】
2005245490.tif 000003
【図２】
2005245490.tif 000004